(57)【要約】【課題】  金属である金型本体に設けた取付凹部内にステイック形のＩＤタグを備えた曲げ金型を提供する。【解決手段】  ワークの折曲げ加工を行うための折曲げ加工機に使用する曲げ金型であって、曲げ金型における金型本体１Ｂ，３Ｃの外側面に、ＩＤタグ７を取付けるための取付凹部９を設け、前記ＩＤタグ７の磁界発生エリアを形成するように、前記金型本体１Ｂ，３Ｃと非接触状態において前記取付凹部９内にＩＤタグ７を備えた構成であって、前記ＩＤタグ７はタグホルダを介して前記取付凹部９に取付けてあり、前記取付凹部９は前記金型本体の前面又は後面の少なくとも一方の面に設けた溝であって、当該溝は前記金型本体の側面に開放してある。【選択図】      図１
2005034872.tif 000002
【特許請求の範囲】
【請求項１】
ワークの折曲げ加工を行うための折曲げ加工機に使用する曲げ金型であって、曲げ金型における金型本体の前記折曲げ加工機への装着面及びワークの折曲げ加工を行うための加工面以外の外側面に、ＩＤタグを取付けるための取付凹部を設け、前記ＩＤタグの磁界発生エリアを形成するように、前記金型本体と非接触状態において前記取付凹部内にＩＤタグを備えたことを特徴とする曲げ金型。
【請求項２】
請求項１に記載の曲げ金型において、前記ＩＤタグはタグホルダを介して前記取付凹部に取付けてあることを特徴とする曲げ金型。
【請求項３】
請求項１又は２に記載の曲げ金型において、前記取付凹部は前記金型本体の前面又は後面の少なくとも一方の面に設けた溝であって、当該溝は前記金型本体の側面に開放してあることを特徴とする曲げ金型。
【請求項４】
請求項１又は２に記載の曲げ金型において、前記取付凹部は前記金型本体の側面に設けた溝であって、当該溝は前記金型本体の前面又は後面の少なくとも一方に開放してあることを特徴とする曲げ金型。
【請求項５】
請求項１又は２に記載の曲げ金型において、前記取付凹部は前記金型本体に設けた穴であることを特徴とする曲げ金型。
【請求項６】
請求項１〜５のいずれかに記載の曲げ金型において、前記金型本体は上面に複数の加工溝を備えたダイであって、上記各加工溝に対応したＩＤタグを備えていることを特徴とする曲げ金型。
【請求項７】
請求項１〜６のいずれかに記載の曲げ金型において、前記ＩＤタグはステック形のＩＤタグであって、当該ＩＤタグの両端側及び側面の３方側が前記金型本体における金属部分から離れた状態にあり、かつ前記ＩＤタグの端部側又は側面の少なく一側部が前記金型本体の外側面付近に設けてあることを特徴とする曲げ金型。
【発明の詳細な説明】
【技術分野】
【０００１】
本発明は、例えばプレスブレーキ等のごとき折曲げ加工機に使用する曲げ金型に係り、さらに詳細には、各種のデータを読み取り可能、データを書き込み可能のＩＤタグを備えた曲げ金型に関する。
【背景技術】
【０００２】
従来、例えばプレスブレーキ等のごとき折曲げ加工機に使用するパンチ、ダイ等の曲げ金型の履歴管理を行うために、また曲げ金型の形状、寸法、加工条件などの各種の情報を制御装置側へ入力するために、バーコードラベルが用いられていた。このバーコードラベルは、表面への汚れの付着によって読み難くなると共に長時間のうちには剥がれることがあるなどの問題がある。そこで、Ｒ／Ｗヘッドによって情報の読み書きが可能なＩＣチップを曲げ金型に備えた構成も提案されている（例えば特許文献１参照）。
【特許文献１】実開平４−２２１２２号公報
【発明の開示】
【発明が解決しようとする課題】
【０００３】
プレスブレーキ等のごとき折曲げ加工機に使用する曲げ金型は工具鋼等の金属よりなるものであって磁性体である。このような曲げ金型に溝又は穴を形成して接着剤や樹脂によってＩＣチップを取付ける場合、ワークの折曲げ加工時における大きな加圧力の影響がないように、前記溝又は穴を大きく形成することができず、前記溝又は穴内に取付けるＩＣチップは小さなものである。
【０００４】
そして、前記溝又は穴内にＩＣチップを取付けた構成においては、Ｒ／ＷヘッドとＩＣチップとの間で交信を行うとき、電波信号としての磁束がＩＣチップの周囲の金属の影響を受けるので、交信距離が短くなる。また、ＩＣチップを前記溝又は穴内に設けた構成において、ＩＣチップが金属と接触すると、Ｒ／ＷヘッドとＩＣチップとの間においての通信が不可能になることがある。
【課題を解決するための手段】
【０００５】
本発明は、前述のごとき従来の問題に鑑みてなされたもので、ワークの折曲げ加工を行うための折曲げ加工機に使用する曲げ金型であって、曲げ金型における金型本体の前記折曲げ加工機への装着面及びワークの折曲げ加工を行うための加工面以外の外側面に、ＩＤタグを取付けるための取付凹部を設け、前記ＩＤタグの磁界発生エリアを形成するように、前記金型本体と非接触状態において前記取付凹部内にＩＤタグを備えた構成である。
【０００６】
また、本発明は、前記曲げ金型において、前記ＩＤタグはタグホルダを介して前記取付凹部に取付けてある。
【０００７】
また、本発明は、上記曲げ金型において、前記取付凹部は前記金型本体の前面又は後面の少なくとも一方の面に設けた溝であって、当該溝は前記金型本体の側面に開放してある。
【０００８】
また、本発明は、上記曲げ金型において、前記取付凹部は前記金型本体の側面に設けた溝であって、当該溝は前記金型本体の前面又は後面の少なくとも一方に開放してある。
【０００９】
また、本発明は、上記曲げ金型において、前記取付凹部は前記金型本体に設けた穴である。
【００１０】
また、本発明は、上記曲げ金型において、前記金型本体は上面に複数の加工溝を備えたダイであって、上記各加工溝に対応したＩＤタグを備えている。
【００１１】
また、本発明は、上記曲げ金型において、前記ＩＤタグはステック形のＩＤタグであって、当該ＩＤタグの両端側及び側面の３方側が前記金型本体における金属部分から離れた状態にあり、かつ前記ＩＤタグの端部側又は側面の少なく一側部が前記金型本体の外側面付近に設けてある。
【発明の効果】
【００１２】
前記構成により、本発明によれば、ＩＤタグは、曲げ金型における金型本体に設けた取付凹部内に、前記ＩＤタグの磁界発生エリアを形成するように金型本体と非接触状態において備えられているので、周囲の金属の影響が少なく、リーダ／ライタに備えたアンテナコイルによって発生した電波信号としての磁束がＩＤタグに備えたアンテナコイルと充分に鎖交することとなり、通信が可能になるものである。
【発明を実施するための最良の形態】
【００１３】
以下、図面を用いて本発明の実施形態について説明するに、折曲げ加工機の１例としてのプレスブレーキに使用される曲げ金型にはパンチ（雄型）１とダイ（雌型）３とがある。
【００１４】
上記パンチ１は、前記ダイ３に備えたＶ字形状の加工溝３Ａ，３Ｂと協働して板状のワーク（図示省略）の折曲げ加工を行うＶ字形状の加工部１Ａを、厚肉の
金型本体（パンチ本体）１Ｂの下部に比較的薄肉に形成したブレード部１Ｃの下部に備えた構成であって、前記パンチ本体1Ｂの上部には、折曲げ加工機側のパンチ装着部５へ取付ける取付部１Ｄが設けられている。
【００１５】
前記ダイ３は、ダイ本体（金型本体）３Ｃの上面に前記加工溝３Ａ，３Ｂを備えた構成である。なお、ダイ３としては、複数の加工溝３Ａ，３Ｂを備えることなく、上記加工溝は１つでも良いものである。
【００１６】
曲げ金型としての前記パンチ１における前記パンチ本体（金型本体）１Ｂの前面又は後面の一方又は両方には、ＩＤタグ（ＲＦＩＤ）を取付けるための取付凹部９が設けてあり、この取付凹部９内には、樹脂等のごとき絶縁部材１１を介して、前記ＩＤタグ７の磁界発生エリアを形成するように、前記取付凹部９の内面に対して非接触状態において前記ＩＤタグ７が備えられている。
【００１７】
前記ＩＤタグ７はステイック形のＩＤタグであって、このＩＤタグ７の両端側及び側面側（前記パンチ本体１Ｂの外側面側）の３方側は、前記取付凹部９の内面から比較的大きく離してあって、パンチ本体１Ｂの金属の影響を少なくしてある。すなわち、前記取付凹部９は、前記ステイック形のＩＤタグ７の長さより長く形成してあって、ＩＤタグ７の一端側と対応した取付凹部９の一端側はパンチ１の側面に開放してある。そして、前記取付凹部９の他端側とＩＤタグ７の他端側との間には、磁界発生エリアを確保するように、磁界発生空間１３に形成してある。
【００１８】
したがって、前記ＩＤタグ７の両端側及びパンチ本体１Ｂの外側面側の３方側が磁界発生エリアとして開放した構成であり、前記ＩＤタグ７の情報の読み取り、ＩＤタグ７に対する情報の書き込みを行うために、リーダ／ライタ（図示省略）を前記ＩＤタグ７に近接すると、上記リーダ／ライタに備えたアンテナコイルによって発生した電波信号としての磁束が前記ＩＤタグ７に備えたアンテナコイルと充分に鎖交することができ、ＩＤタグ７とリーダ／ライタとの間において通信可能なものである。
【００１９】
すなわち、ＩＤタグ７に備えたアンテナコイルによって発生した磁束を外部に大きく漏れでるように取り出すことができ、磁性体としての金属内にＩＤタグ７を配置した構成であっても、ＩＤタグ７の情報の読み取り、ＩＤタグ７に対しての情報の書き込みを行うことができ、前述したごとき従来の問題を解消し得るものである。
【００２０】
なお、図２に示すように、パンチ本体１Ｂの前後両面（図２においては左右両面）にＩＤタグ７を備えた構成においては、パンチ装着部５の前側又は後側にパンチ１を装着した場合であっても、折曲げ加工機の前側からＩＤタグ７の情報の読み取り、書き込みを行うことができ、利便性が向上するものである。
【００２１】
前記説明においては、曲げ金型の１例としてのパンチ１にＩＤタグ７を備えた場合について説明したが、曲げ金型としてのダイ３においても同様の構成でもってＩＤタグ７を備えることができるものである。なお、説明が重複することになるので、同一機能を奏する構成部分には同一符号を付することとして、ダイ３にＩＤタグ７を備えた場合の構成についての詳細な説明は省略する。
【００２２】
ところで、前記説明においては、取付凹部９に対して樹脂などのごとき絶縁部材１１によってＩＤタグ７を取付ける場合について説明したが、取付凹部９に対してＩＤタグ７を取付ける構成としては、図３に示すように、樹脂などのごとき絶縁材により構成されたタグホルダ１５にＩＤタグ７を備え、このＩＤタグを備えたタグホルダ１５を、前記取付凹部９に対して着脱可能に取付ける構成とすることも可能である。また、前記取付凹部９を設ける位置としては、図４に示すように、金型本体（パンチ本体、ダイ本体）の側面に設けることも可能である。
【００２３】
上述のように、ＩＤタグ７を備えたタグホルダ１５を取付凹部９に対して取付ける構成においては、ＩＤタグ７がタグホルダ１５によって保護されると共に、ＩＤタグ７からタグホルダ１５の外表面までの寸法がＩＤタグ７の磁界発生エリアとして確保できることとなり、取付凹部９の内面からＩＤタグ７を離隔した非接触状態に取付けることが容易なものである。また、取付凹部９からＩＤタグ７を取り外して再利用するようなとき、タグホルダ１５によってＩＤタグ７が保護され、ＩＤタグ７を損傷することなく前記取付凹部９から取り外すことができるものである。
【００２４】
前記取付凹部９の形状としては、図５に示すように、ステイック形のＩＤタグ７より長く、かつＩＤタグ７の両端に対応して磁界発生空間１３を形成した構成でもよいものである。すなわち、ＩＤタグ７の両端側及びＩＤタグ７の一側の３方側が金型本体の金属部分から充分に離れて開放された構成であれば、この開放された部分がＩＤタグ７の磁界発生エリアとなり、周囲の金属の影響を少なくできる。したがって、前記取付凹部９の形状は、図５に示すように、両端側が閉じた構成（側面に開放していない構成）でもよいものである。また、取付凹部９の形状としては、前記磁界発生エリアを確保できる構成であれば、図６に示すように、穴の構成であっても良いものである。
【００２５】
以上のごとき説明より理解されるように、金型本体に設けた取付凹部９内にＩＤタグ７を配置した構成であっても、ステイック形のＩＤタグ７の両端部に対応した部分及びＩＤタグ７の側方の３方側が開放した構成であることにより、ＩＤタグ７の磁界発生エリアを確保でき、リーダ／ライタと交信可能なものであって、前述したごとき従来の問題を解消し得るものである。
【００２６】
なお、前述した種々の実施形態を適宜に組合せて実施することも可能である。
【図面の簡単な説明】
【００２７】
【図１】曲げ金型としてのパンチ，ダイにＩＤタグを取付けた場合の説明図である。
【図２】パンチ，ダイの前後両面にＩＤタグを取付けた場合の説明図である。
【図３】タグホルダを介してＩＤタグをパンチ，ダイに取付けた場合の説明図である。
【図４】同じく、パンチ，ダイの側面にＩＤタグを取付けた場合の説明図である。
【図５】ＩＤタグをパンチ，ダイに取付ける際の取付凹部の説明図である。
【図６】ＩＤタグを金型本体に設けた取付凹部としての穴に取付ける場合の説明図である。
【符号の説明】
【００２８】
１  パンチ
３  ダイ
７  ＩＤタグ
９  取付凹部
１３  磁界発生空間
１５  タグホルダ
【図１】
2005034872.tif 000003
【図２】
2005034872.tif 000004
【図３】
2005034872.tif 000005
【図４】
2005034872.tif 000006
【図５】
2005034872.tif 000007
【図６】
2005034872.tif 000008